(57)【要約】【課題】ガントリハウジング内において僅かしかスペースを要求しない簡単な構成の低コストの冷却システムを提供する。【解決手段】コンピュータ断層撮影装置（１）のガントリハウジング（３）内に配置されたＸ線源（５）、検出器（６）およびその他の構成要素２６）の冷却システムにおいて、圧縮空気（Ｌp，Ｋp）供給手段を有する冷却空気供給装置（１１）と、これに接続された噴出要素（１７，２４，２５，３４）とを備え、噴出要素（１７，２４，２５，３４）が圧縮空気（Ｌp，Ｋp）を被冷却構成要素（５，６，２６）へ流すように配置および／または構成されている。【選択図】図１
2004283577.tif 000002
【特許請求の範囲】
【請求項１】
コンピュータ断層撮影装置（１）のガントリハウジング（３）内に配置された構成要素（５，６，２６）の冷却システムにおいて、圧縮空気（Ｌp，Ｋp）供給手段を有する冷却空気供給装置（１１）と、これに接続された噴出要素（１７，２４，２５，３４）とを備え、噴出要素（１７，２４，２５，３４）を、圧縮空気（Ｌp，Ｋp）が被冷却構成要素（５，６，２６）へ流れるように配置および／または構成したことを特徴とするガントリの冷却システム。
【請求項２】
コンピュータ断層撮影装置（１）の内部またはその近辺に、周囲空気（Ｌu）を受け入れて圧縮する圧縮機（１２）が配置されていること特徴とする請求項１記載の冷却システム。
【請求項３】
圧縮空気（Ｌp）を冷却する冷却装置（１４）が設けられていることを特徴とする請求項１又は２記載の冷却システム。
【請求項４】
圧縮空気（Ｌp，Ｋp）を噴出要素（１７，２４，２５，３４）へ導くために、少なくとも１つの部分的に熱絶縁された配管（１３）が設けられていることを特徴とする請求項１内視の１つに記載の冷却システム。
【請求項５】
ガントリハウジング（３）内において測定空間（８）の周りを回転可能に支持された支持リング（１８）の内部または表面に、被冷却構成要素（５，６）のうちの少なくとも１つが配置され、ガントリハウジング（３）の内部または表面に固定配置された少なくとも１つの噴出要素（１７，２４）を通して、支持リング（１８）の回転時に噴出要素（１７）のそばを通過する構成要素（５，６）へ、圧縮空気（Ｌp，Ｋp）が流れることを特徴とする請求項１乃至４の１つに記載の冷却システム。
【請求項６】
噴出要素はノズルリング（１７）であることを特徴とする請求項５記載の冷却システム。
【請求項７】
ノズルリング（１７）はガントリハウジング（３）の半径方向内側の範囲に、圧縮空気（Ｌp，Ｋp）がほぼ半径方向に外側へ向いて、支持リング（１８）の内部または表面にある被冷却構成要素（５，６）へ向けて流れるように配置されていることを特徴とする請求項６記載の冷却システム。
【請求項８】
ガントリハウジング（３）の内部または表面の定められた周囲位置に複数のノズル板（２４）が配置されていることを特徴とする請求項１乃至７の１つに記載の冷却システム。
【請求項９】
支持リング（１８）は、回転軸線の周りをリング状に延びるアングル材から成り、半径方向に延び貫流口（２８）を備えたリング状の第１の面（３５）と、軸線方向に延び第１の面（３５）の半径方向外側端に配置されているリング状の第２の面（３６）とを有し、ノズル板（２４）はガントリハウジング（３）の内部に、圧縮空気（Ｌp，Ｋp）が貫流口（２８）を通って支持リング（１８）の内側に配置された被冷却構成要素（５，６）へ流れるように、支持リング（１８）の第１の面（３５）が回転時にノズル板（２４）の直ぐそばを通過するように配置されていることを特徴とする請求項８記載の冷却システム。
【請求項１０】
支持リング（１８）の第２の面（３６）に貫流口（２７）があり、これらの貫流口（２７）を通して、温められた空気（Ｗ）が支持リング（１８）からほぼ半径方向に外側へ向いてガントリハウジング（３）内へ流出することを特徴とする請求項１乃至９の１つに記載の冷却システム。
【請求項１１】
ガントリハウジング（３）の内部に固定配置された構成要素（２６）に直接に圧縮空気（Ｌp，Ｋp）が導かれるように配置および／または構成されたノズルヘッド（２５，３４）が設けられていることを特徴とする請求項１乃至１０の１つに記載の冷却システム。
【請求項１２】
ガントリハウジング（３）は、温められた空気（Ｗ）が外へ向けて流出することを可能にする流出口（７）を備えていることを特徴とする請求項１乃至１１の１つに記載の冷却システム。
【請求項１３】
温められた空気（Ｗ）をガントリハウジング（３）から吸い出すための吸出装置が設けられていることを特徴とする請求項１乃至１２の１つに記載の冷却システム。
【請求項１４】
吸出装置は少なくとも１つの送風機（１９，２０，２１）を含むことを特徴とする請求項１３記載の冷却システム。
【請求項１５】
ガントリハウジング（３）は、軸線の周りに揺動可能に２つの対向する側面における２つの同軸の軸受（９，１０）により、コンピュータ断層撮影装置（１）の静止部分（２）に支持され、冷却システムは、温められた空気（Ｗ）が軸受（９，１０）の少なくとも一方の範囲においてガントリハウジング（３）から静止部分（２）内へ導かれるように構成されていることを特徴とする請求項１４記載の冷却システム。
【請求項１６】
噴出要素（１７，２４，２５，３４）に除湿器（１６）が前置されていることを特徴とする請求項１乃至１５の１つに記載の冷却システム。
【請求項１７】
請求項１乃至１６の１つに記載の冷却システムを備えていることを特徴とするコンピュータ断層撮影装置。
【請求項１８】
コンピュータ断層撮影装置（１）のリング状のガントリハウジング（３）内に配置された構成要素（５，６，２６）の冷却方法において、圧縮空気（Ｌp，Ｋp）が被冷却構成要素（５，６，２６）に導かれることを特徴とするガントリの冷却方法。
【請求項１９】
圧縮空気（Ｌp）が冷却されることを特徴とする請求項１８記載の方法。
【請求項２０】
温められた空気（Ｗ）がガントリハウジング（３）から吸い出されることを特徴とする請求項１８又は１９に記載の方法。
【請求項２１】
圧縮空気（Ｌp，Ｋp）が除湿されることを特徴とする請求項１８乃至２０の１つに記載の方法。
【発明の詳細な説明】
【技術分野】
【０００１】
本発明は、コンピュータ断層撮影装置のガントリハウジング内に配置された構成要素（例えばＸ線源、検出器またはその他の構成要素）の冷却システムに関する。更に、本発明はこのような構成要素の冷却方法に関する。
【背景技術】
【０００２】
コンピュータ断層撮影装置においては、Ｘ線法により被検体の内部の３次元断層像が作成される。このために、一般に撮影対象の周りを回転するＸ線源と撮像システムとを有する走査ユニット（これは一般にガントリと呼ばれる。）により、２次元Ｘ線断層像が作成され、これらの２次元Ｘ線断層像から３次元断層像が再構成される。この場合に通常、ガントリは、被検体撮影空間の周りにリング状に配置されているガントリハウジングの内部にある。
【０００３】
全てのＸ線装置における基本的問題は、Ｘ線発生時にＸ線源において使用された電気エネルギーの９９％が熱エネルギーに変換されることにある。Ｘ線源を過熱なしに長時間にわたって作動できるようにするためには、Ｘ線源の作動時に発生するこの熱をＸ線源から排出しなければならない。これは、とくに高いＸ線出力が要求される場合に必要である。コンピュータ断層撮影装置の場合、上述のように、Ｘ線源がＸ線撮影中に持続的にガントリハウジング内部において被検体撮影空間の周りを回転することが更に加わって難しいことになる。絶え間のない回転運動、極端に高い温度およびガントリハウジングの内部空間の狭さにより、Ｘ線源の作動時に発生する熱の排出は高コストで問題であることが分かっている。
【０００４】
このようなコンピュータ断層撮影装置において使用される従来の冷却システムは、一般に、ガントリハウジングの内部に組み込まれている多数の熱交換器からなる。回転するＸ線源に発生する熱をできるだけ効率的にガントリおよびガントリハウジング内部から排出するために、従来は、共に回転する１つの熱交換器がＸ線源の直近に取付けられる。この第１の熱交換器はガントリを包囲するガントリハウジング内の空気に熱を放出する。ガントリ周囲の加熱された空気は例えば第２の熱交換器によって冷却され、この第２の熱交換器は空気から受け取った熱をガントリハウジングの外側における冷却システムに導き出す。第２の熱交換器がＸ線源に対して相対的に位置固定されてガントリハウジング内に配置されているコンピュータ断層撮影装置は公知である（例えば特許文献１参照）。作動中に受け取られた熱は、第２の熱交換器に配設された冷却材配管を通してガントリハウジングの外側の冷却システムに導き出される。代替案として、第２の熱交換器がガントリと共に回転するようにガントリハウジング内に配置されているコンピュータ断層撮影装置が知られている（例えば特許文献２参照）。熱の排出は、２つの測定の間におけるガントリの静止時間中に、高速結合により第２の熱交換器がガントリハウジングの外側に配置された水冷循環路と結合されることによって行われる。
【０００５】
上述の冷却システムの場合、動作によって磨耗しやすく、それ相応にメンテナンスされなければならない多数の精密な機械的および電気的構成要素を必要とすることが欠点であることが分かっている。別の欠点は、必要な熱交換器の大きさのために、ガントリハウジングを相応に容積の大きい寸法にしなければならないことにある。最後に述べた変形により、確かにまさに良好な冷却出力が得られるが、しかしこの場合には静止時間が十分にあるときしか冷却材の冷却が可能でないという欠点がある。さらに、外部の冷却材循環路への必要な結合は、コンピュータ断層撮影装置の静止部分にガントリハウジングが揺動可能に支持されている構造を困難にする。このような構造は、例えば被検体面に対して平行な断面案内を行なうために、ガントリハウジングもしくはガントリの揺動によって被検体に対する相対的な画像平面の傾斜を達成することができるという利点を有する。このようにして例えば任意のコロナル断面像を作成することができる。
【特許文献１】独国特許出願公開第１９９４５４１３号明細書
【特許文献２】独国特許出願公開第１９８４５７５６号明細書
【発明の開示】
【発明が解決しようとする課題】
【０００６】
本発明の課題は、ガントリハウジング内において僅かしかスペースを要求しない簡単な構成の低コストの冷却システムおよび冷却方法を提供することにある。
【課題を解決するための手段】
【０００７】
冷却システムに関する課題は、本発明によれば、コンピュータ断層撮影装置のガントリハウジング内に配置された構成要素の冷却システムにおいて、圧縮空気供給手段を有する冷却空気供給装置と、これに接続された噴出要素とを備え、噴出要素を、圧縮空気が被冷却構成要素へ流れるように配置および／または構成することによって達成される。
冷却方法に関する課題は、本発明によれば、コンピュータ断層撮影装置のリング状のガントリハウジングに配置された構成要素の冷却方法において、圧縮空気が被冷却構成要素に導かれることによって解決される。
【０００８】
本発明によれば、ガントリハウジング内の構成要素の冷却のために、圧縮空気をガントリハウジング内へ導き、例えば適切なノズルの如き噴出要素を通して直接に被冷却構成要素に導くべく冷却空気供給装置が使用される。冷却システムを冷却圧縮空気システムとして構成することの主たる利点は、ガントリハウジング内において極めて僅かなスペースしか要求されないことにある。それによって小型化されたガントリハウジングのコスト低減形構造が可能となる。他の利点は、ガントリハウジング内の構成要素を、非常に的確に、従って極めて効果的に冷却することができることにある。それゆえ、冷却システムは総合的に比較的簡単で、低コストで、かつ効率がよい。
【０００９】
従属請求項は本発明の特別に有利な構成および発展形態を含む。
【００１０】
圧縮空気は、圧縮機によって、とりわけ大気圧よりも著しく高い圧力に圧縮される。この圧縮機は、コンピュータ断層撮影装置の近くに、例えばその装置の直ぐ近くにおいて検査室内の別のハウジングに配置することができ、あるいはそれどころかコンピュータ断層撮影装置の静止部分内にすら配置することができる。しかし、圧縮機の作動時に生じる騒音による検査室における煩わしさを避けるために、圧縮機を別の機械装置室に設置することもできる。冷却システムは、圧縮空気を供給するために、大部分の病院においてもともと既に存在する圧縮空気システムへ接続するための接続手段を有するとよい。しかしながら、このための前提条件は、この圧縮空気システムが十分高い圧力および流量の空気を供給できることである。それにより、非常にコスト的に有利な実現が得られるであろう。特に、付加的な整備コストが生じない。
【００１１】
圧縮空気はノズルからの噴出時に極めて高速に膨張し、空気の温度は自動的に低下する。冷却圧縮空気による冷却の場合におけるこの熱力学的に有利な特性は、とりわけ、圧縮空気の付加的な冷却によって更に強められる。このために、圧縮空気を被冷却構成要素に供給する前にとりわけ周囲温度以下に冷却するために、少なくとも１つの熱交換器が冷却システムに組み込まれる。この熱交換器は、圧縮機に近接配置するのが好ましく、例えば簡単な水冷却装置の如き液体冷却装置に接続するとよい。
【００１２】
圧縮されかつ冷却された空気は、特に熱絶縁された配管を通して圧縮機からコンピュータ断層撮影装置およびガントリハウジング内へ運ばれる。それにより、圧縮空気温度の上昇が阻止され、冷却システムの高い効率が維持される。好ましいことに、占有スペースをできるだけ少なくするためには、配管が小さな径を有することだけに注意を払えばよい。
【００１３】
冒頭に述べた種類のコンピュータ断層撮影装置では、熱の主たる部分を発生する構成要素、すなわちＸ線源は、ガントリハウジング内で測定空間の周りを回転可能に支持された支持リングの表面もしくは内部に取付けられている。支持リングの内部または表面には、自らが熱を発生するか、またはＸ線源が発生した熱による加熱から保護されなければならない他の構成要素が取付けられている。
【００１４】
本発明による冷却システムは、特に好適な変形に従って、圧縮され場合によっては冷却もされた空気が噴出口を通して直接に支持リングの内部または表面にもたらされ、支持リングの回転時にそばを通過する被冷却構成要素に導かれるように構成されている。
【００１５】
変形例において、このような支持リングは、回転軸線の周囲をリング状に延びるアングル材から成り、ほぼ半径方向に延びているすなわち回転軸線に対して直角方向に向けられたリング状の第１の面と、軸線方向に延びすなわち回転軸線に対して平行に延び第１の面の半径方向外側端に配置されているリング状の第２の面とを有する。簡単化のために、これらの面は以下では半径方向面もしくは軸線方向面と呼ぶ。しかし、支持リングは、原理的に他の任意の構造で、例えば簡単な管状枠台の形に構成されていてもよい。
【００１６】
本発明の変形によれば、噴出要素は（とりわけガントリハウジングの半径方向の内部範囲に配置された）ノズルリングとして実現される。この場合、圧縮空気は、好ましくはノズルリングの全周に配置された多数の開口もしくはノズルから、半径方向に測定空間側からそばを回転しながら通過する支持リングの方向に流れる。支持リングの内部または表面に取付けられている構成要素は、コンピュータ断層撮影装置の作動中絶えず、強く冷却された圧縮空気にさらされ、それにより効果的に冷却される。温められた空気ができるだけ迅速に構成要素から流れ去るようにするために、リング状に周回するアングル材から成る上述の支持リングの場合、温められた空気を流出させる貫流口が支持リングの軸線方向面に設けられている。
【００１７】
本発明の他の変形では、噴出要素として、複数のノズル板がガントリハウジングにおける定められた位置に組み込まれるか、場合によってはガントリハウジングにフランジを介して接合される。
【００１８】
リング状に周回するアングル材から成る上述の支持リングの場合、ノズル板が、とりわけ支持リングの貫流口を備えた半径方向面の直ぐそばに隣接している。圧縮空気は貫流口を通して、そばを回転しながら通過する被冷却構成要素に当たる。ノズル板は１つ又は複数のセグメントから構成され、支持リングの半径方向面の一部のみがセグメントによって覆われる。しかし、ノズル板は、セグメントがほぼ支持リングの垂直面全体を覆い、完全なリングを形成するように構成することもできる。
【００１９】
更に、前述の両変形の組合せも可能である。すなわち、ガントリハウジング内にノズルリングも、１つまたは複数のノズル板も取付けることができる。
【００２０】
本発明の別の変形例によれば、ガントリハウジング内に固定配置された構成要素が冷却圧縮空気により的確に冷却される。このために、圧縮空気は、特に熱絶縁された個々の空気供給ホースもしくは空気供給管を通して、被冷却構成要素の直ぐ近くにあるノズルヘッドへ導かれる。ノズルヘッドは、とりわけ多数の噴出口（ノズル）を有し、これらの噴出口は、圧縮空気が直接に被冷却構成要素へ流れるように取付けられかつ向けられている。構成要素は必要に応じて１つまたは複数のノズルヘッドによって冷却される。
【００２１】
本発明の実施態様（開放形システム）では、ガントリハウジングは、ガントリハウジングの外壁が流出口を有するように構成されている。この実施態様ではハウジングでは、温められた空気が直接にガントリハウジングの流出口から検査室内へ流出する。流出口は比較的大きい開口である。しかしながら、とりわけハウジングは、定められた範囲に、特に好ましくは全周に沿って、半径方向に外側へ向いて、すなわち被検体から離れる方向に向かう孔が等間隔にあけられている。特に、構成要素を予め冷却された圧縮空気により冷却するならば、ガントリハウジングの流出口から流出する空気による検査室の温度上昇もしくは場合によっては存在する空調設備の負担を覚悟しなくてすむ。
【００２２】
代替として閉鎖形システムの場合、温められた空気は吸出装置によりガントリハウジングから吸い出される。このために、とりわけ、静止部分に配置された少なくとも１つの送風機が使用される。大部分のコンピュータ断層撮影装置においては、ガントリハウジングが１つの軸線の周りを揺動可能に、ガントリハウジングの当該軸線上で対向する２つの側面に配設された２つの同軸の軸受により、コンピュータ断層撮影装置の静止部分に支持されている。このような装置の場合、温められた空気は、特に一方または両方の軸受の範囲においてガントリ基部内へ吸い込まれる。必要な送風機はとりわけ軸受の近くにあると好ましい。
【００２３】
この場合、温められた空気は、軸受を貫通する貫流口を通してガントリハウジングから静止部分へ流れることができる。このために、軸受は、例えば軸受リングまたは軸受管として形成されている。その場合に、内のり開口断面、すなわち軸受リング内径もしくは軸受管内径は、空気交換をできるだけ邪魔されないで行なうことができるように、できるだけ大きいほうがよい。代替として、ガントリハウジングと静止部分のハウジングとの互いに対向する軸受近くの面に貫流口が存在していてもよい。その場合に、空気がガントリハウジングとガントリ基部ハウジングとの間の間隙から患者検査空間へ達することができないように、貫流口は外側に対して封鎖される。貫流口の形状、開口寸法および配置は構成シリーズ毎のハウジング形状およびハウジング寸法に応じて最適に定められる。更に、上述の両変形の組合せも可能であり、すなわち軸受内部および軸受近傍のハウジング面に貫流口が存在する構造も可能である。
【００２４】
更に、特に好ましくは、軸受はガントリハウジング内へ冷却圧縮空気配管を引き込むのに利用される。
【００２５】
コンピュータ断層撮影装置の作動時に生じる熱によるガントリハウジング内での水蒸気発生を回避するために、特別に有利な実施態様では、冷却システム内に除湿器が組み込まれる。除湿器はとりわけ圧縮機の直近に、特に圧縮機の後方に存在するとよい。
【００２６】
本発明による冷却システムは、空間節約およびコスト節減の構造にもかかわらず、良好な効率ゆえ、ガントリハウジング内にある全ての構成要素の冷却にとって十分である。更に、本発明による冷却システムは、既に知られている冷却方法に補足して使用することもできる。例えば圧縮空気冷却は、原理的には、ガントリに配置されたガントリと共に回転する熱交換器を冷却しそれにより効率を高めるために、利用することもできる。とりわけ、既存のコンピュータ断層撮影装置の追加装備であってもよい。このために、ガントリハウジングの表面および／または内部への圧縮空気供給管および噴出要素の適切な配置だけが必要である。
【発明を実施するための最良の形態】
【００２７】
以下において、添付図面を参照しながら、本発明を実施例に基づいて更にもう一度説明する。同一の構成部分は異なる図において同一の符号を備えている。
図１は本発明の第１の実施例による冷却システムを備えたコンピュータ断層撮影装置の概略断面図、
図２は図１によるコンピュータ断層撮影装置のガントリハウジングの切断線Ｑ−Ｑ’に沿った概略断面図、
図３は本発明の第２の実施例による冷却システムを備えたコンピュータ断層撮影装置の概略断面図、
図４は本発明の第２の実施例による冷却システムを備えたコンピュータ断層撮影装置のガントリハウジングの図２と同様の概略断面図を示す。
【００２８】
図１に示されたコンピュータ断層撮影装置１は、主要構成部分として静止部分２（以下においてガントリ基部とも呼ぶ。）と、これに移動可能に支持されたガントリハウジング３とを有する。このガントリハウジング３は、コンピュータ断層撮影装置１の静止部分２の２つの対向している側面で２つの同軸の軸受９，１０により軸線Ａの周りを揺動可能に支持されている。ガントリハウジング３内には回転方向Ｒに回転可能に支持されたガントリ４が存在し、このガントリ４にＸ線源５および検出器６が互いに対向配置されている。コンピュータ断層撮影装置１の作動中には、ガントリ４は検査空間８内で寝台２９上に横たわる被検体、ここでは患者Ｐの周りを回転し、Ｘ線源５から出るＸ線ファンビームが被検体Ｐを透過して検出器６に当たる。従って、回転平面にある断面における被検体Ｐの内部の断層像が検出される。
【００２９】
ガントリの種々の構成要素、とりわけＸ線源５を冷却するために、コンピュータ断層撮影装置１は、本発明に従って、冷却された圧縮空気により動作する特別な冷却圧縮空気供給装置１１を有する。
【００３０】
この冷却圧縮空気供給装置１１は、コンピュータ断層撮影装置１の外側の別ハウジング内に配置された圧縮機１２を有する。圧縮機１２は周囲空気Ｌuを受け入れ、これを大気圧よりも遥かに高い圧力まで圧縮する。
【００３１】
（本来の圧縮機１２の後段に接続されている）圧縮機ハウジング内には熱交換器１４が配置されている。熱交換器１４は、冷却水配管１５を通して外部の冷却装置に接続され、圧縮された周囲空気Ｌpを周囲温度よりも遥かに低く冷却する。圧縮されて冷却された空気Ｋp（冷却圧縮空気Ｋpとも呼ぶ。）は付加的に除湿器１６により除湿される。
【００３２】
冷却圧縮空気Ｋpは熱絶縁された冷却圧縮空気配管１３を通してガントリハウジング３内へ導入される。コンピュータ断層撮影装置１の静止部分２からガントリハウジング３内への供給はこの場合には軸受９の１つを介して行なわれる。ガントリハウジング３内では、冷却圧縮空気Ｋpがノズルリング１７内へ流入する。ノズルリング１７はそれの全周に沿って半径方向に外側に向けて噴出口３７（以下においてノズル３７と呼ぶ。）を有する。
【００３３】
図２は図１によるこのコンピュータ断層撮影装置１のガントリハウジング３の切断線Ｑ−Ｑ’に沿った断面図を示す。
【００３４】
支持リング１８はこの場合にはガントリ４の回転軸線の周りをリング状に周回するアングル材から成り、このアングル材は、ほぼ半径方向に延在しすなわち回転軸線に対して相対的に直角方向に向けられリング状に周回する第１の面３５と、軸線方向に延在しすなわち回転軸線に対して平行に延び第１の面３５の半径方向外側端に配置されリング状に周回する第２の面３６とを有する。すなわち、支持リング１８は、断面図において、ほぼ直角の形状（Ｌ字形）を有する。ガントリの個々の構成要素５，６は、この場合、支持リング１８のアングル材の内側に吊るされている。
【００３５】
ノズルリング１７のノズル３７を通して、冷却圧縮空気Ｋpが、支持リング１８に取付けられ回転しながら通過する構成要素５，６へ向けて流れ、もしくは構成要素５，６のそばを通り過ぎて支持リング１８の軸線方向の第２の面３６に配置された貫流口２７を通り抜ける。温められた空気Ｗは、引き続きガントリハウジング３における流出口７を通って外部へ流出する。
【００３６】
ガントリハウジング３に固定して取付けられている他の構成要素２６、例えば電子回路は、ノズルヘッド２５によって直接に被冷却構成要素２６に吹きつけられる冷却圧縮空気により的確に冷却される。この冷却ヘッド２５は多数の側方ノズルを有する。温められた空気Ｗはここでもガントリハウジング３の流出口７を通って流出する。
【００３７】
図３は図１と同様に構成された実施例を示す。しかしながら、この場合には温められた空気が、ガントリハウジング３の流出口を通って周囲へ流出する代わりに、ガントリ基部２内に吸い込まれる。このために、ガントリハウジング３を静止部分２に揺動可能に支持する軸受９，１０と、軸受９、１０の範囲におけるガントリ基部２のハウジングおよびガントリハウジング３の対向面とに、それぞれ貫流口３０,３１が存在する。貫流口３０,３１の周りには、排出すべき空気が検査空間へ達することがないようにするために、ガントリハウジング３と静止部分２のハウジングとの間にリング状に周回するパッキング３２が配設されている。温められた空気Ｗはガントリハウジング３から送風機１９，２０，２１によって漏斗状案内部２２，２３を通して吸い取られ、検査空間から排出される（図示されていない。）。
【００３８】
送風機１９，２０，２１の上述の配置は例示にすぎない。例えば、送風機は要望に応じてガントリ基部２の内側またはガントリ基部２の外側に配置することができる。
【００３９】
図４は、コンピュータ断層撮影装置１のガントリハウジング３の図２と同様の断面図を示す。しかしながら、この実施例の場合には異なる周囲位置に噴出要素がノズル板２４の形で組み込まれている。このノズル板２４は支持リング１８に向けられた側面に噴出口もしくはノズル３３を有する。ノズル板２４への供給は、例えば図示されていないリング管を介して行なわれる。圧縮され冷却された空気Ｋpはノズル３３から、さらに支持リング１８の半径方向面３５に設けられた貫流口２８を通して、支持リング１８と共に回転しながら通過するガントリ構成要素５，６に吹き付けられる。ノズル板２４は、支持リング１８の貫流口２８を備えた半径方向面３５の直ぐ近くに隣接している。この実施例の場合にも要求に応じて支持リング１８の軸線方向面も貫流口３６を備えることができる。
【００４０】
図４のように、ガントリハウジング３内における他の静止側の構成要素２６がここでは端部に個別のノズルを有する別のノズルヘッド３４により直接に冷却される。
【００４１】
温められた空気Ｗは、図３によるこの実施例ではガントリハウジング３から吸い取られる。しかしながら、この実施例の場合にも、温められた空気Ｗは図１による実施例の場合と同様に流出口７を通ってガントリハウジング３から流出することも可能である。
【００４２】
最後にもう一度言及するに、以上に述べた冷却システムは実施例に過ぎず、これは当業者によって本発明の枠内において変更可能である。例えば、冷却システムは回転しないガントリの場合にも使用することができる。支持リングの構造も他の任意の要求に従って、例えば開放形の管状枠台とすることができる。この場合に冷却圧縮空気は開放された台を通して容易に被冷却構成要素に達することができ、そして温められた空気は更にその台を通して流出することができる。支持リングは強固な構造にすることもでき、例えばガントリが被検体の周りを回転しながら移動するリング状レールの形に形成することができる。本冷却システムはこのようなガントリ構造に対しても全く同じように使用することができる。例えばノズル板は外側からフランジを介してガントリハウジングへ接合されてもよい。それによりガントリハウジングの半径方向の周囲全体または一部周囲のみが覆われる。冷却圧縮空気配管はこの場合には外側から個別にノズル板に取付けられる
【図面の簡単な説明】
【００４３】
【図１】本発明の第１の実施例による冷却システムを備えたコンピュータ断層撮影装置の概略断面図
【図２】図１によるコンピュータ断層撮影装置のガントリハウジングの切断線Ｑ−Ｑ’に沿った概略断面図
【図３】本発明の第２の実施例による冷却システムを備えたコンピュータ断層撮影装置の概略断面図
【図４】本発明の第２の実施例による冷却システムを備えたコンピュータ断層撮影装置のガントリハウジングの図２と同様の概略断面図
【符号の説明】
【００４４】
１        コンピュータ断層撮影装置
２        ガントリ基部
３        ガントリハウジング
４        ガントリ
５        Ｘ線源
６        検出器
７        流出口
８        検査空間
９        軸受
１０        軸受
１１        冷却空気供給装置
１２        圧縮機
１３        冷却圧縮空気配管
１４        熱交換器
１５        冷却水配管
１６        除湿器
１７        ノズルリング
１８        支持リング
１９        送風機
２０        送風機
２１        送風機
２２        漏斗状案内部
２３        漏斗状案内部
２４        ノズル板
２５        ノズルヘッド
２６        被冷却構成要素
２７        貫流口
２８        貫流口
２９        寝台
３０        貫流口
３１        貫流口
３２        パッキング
３３        噴出口
３４        ノズルヘッド
３５        半径方向面
３６        軸線方向面
３７        噴出口／ノズル
Ａ          軸
Ｐ          被検体
Ｒ          回転方向
Ｗ          温まった冷却ガス流
Ｋp        冷却圧縮空気
Ｌu        周囲空気
Ｌp        圧縮空気
【図１】
2004283577.tif 000003
【図２】
2004283577.tif 000004
【図３】
2004283577.tif 000005
【図４】
2004283577.tif 000006